(57)【特許請求の範囲】
【請求項１】
ガイドボックス、一対のローラホルダ、パスライン調整機構及び中心振分調整機構を具備しており、
上記ガイドボックスは各ローラホルダを支持しており、
上記各ローラホルダはガイドローラを設けてあり、ガイドローラ間で圧延材を誘導可能なものであり、
上記パスライン調整機構は、一対の偏芯軸と、これらの偏芯軸を動作させるための偏芯軸回転手段とを備えており、この偏芯軸回転手段は上記偏芯軸を互いに同一方向へ回転駆動させるものであり、
上記中心振分調整機構は、一対の互いに逆ねじのスクリュウスピンドルと、これらのスクリュウスピンドルを移動するためのスクリュウスピンドル移動手段とを備えており、上記スクリュウスピンドル移動手段は上記スクリュウスピンドルを互いに逆方向に移動させるものであり、
上記各ローラホルダは、上記偏芯軸の互いに同一方向の回転に伴ってその間隔を維持しながら上記ガイドローラの中心をパスラインに調整可能であり、
上記ガイドローラの間隔は、上記スクリュウスピンドルの互いに逆方向の移動に伴って上記互いに逆方向にローラホルダを動作させることによって中心振分に調整可能である
ことを特徴とするローラガイド装置。
【請求項２】
ガイドボックス、一対のローラホルダ、パスライン調整機構及び中心振分調整機構を具備しており、
上記ガイドボックスは各ローラホルダを支持しており、
上記各ローラホルダはガイドローラを設けてあり、ガイドローラ間で圧延材を誘導可能なものであり、
上記パスライン調整機構は、一対の第一偏芯軸と、これらの第一偏芯軸を動作させるための第一偏芯軸回転手段とを備えており、上記第一偏芯軸回転手段は上記第一偏芯軸を互いに同一方向へ回転駆動させるものであり、
上記中心振分調整機構は、一対の第二偏芯軸と、これらの第二偏芯軸を動作させるための第二偏芯軸回転手段とを備えており、上記第二偏芯軸回転手段は上記第二偏芯軸を互いに逆方向へ回転駆動させるものであり、
上記ローラホルダは、上記第一偏芯軸の互いに同一方向の回転に伴ってその間隔を維持しながら上記ガイドローラの中心をパスラインに調整可能であり、
上記ガイドローラの間隔は、上記第二偏芯軸の互いに逆方向の回転に伴ってその間隔を中心振分に調整可能である
ことを特徴とするローラガイド装置。
【請求項３】
ガイドボックス、一対のローラホルダ、パスライン調整機構及び中心振分調整機構を具備しており、
上記ガイドボックスは各ローラホルダを支持しており、
上記各ローラホルダはガイドローラを設けてあり、ガイドローラ間で圧延材を誘導可能なものであり、
上記パスライン調整機構は、一対の第二偏芯軸と、これらの第二偏芯軸を動作させるための第二偏芯軸回転手段とを備えており、上記第二偏芯軸回転手段は上記第二偏芯軸を互いに同一方向へ回転駆動させるものであり、
上記中心振分調整機構は、一対の第一偏芯軸と、この第一偏芯軸を動作させるための第一偏芯軸回転手段とを備えており、上記第一偏芯軸回転手段は上記第一偏芯軸を互いに逆方向へ回転駆動させるものであり、
上記ローラホルダは、上記第二偏芯軸の互いに同一方向の回転に伴ってその間隔を維持しながら上記ガイドローラの中心をパスラインに調整可能であり、
上記ガイドローラの間隔は、上記第一偏芯軸の互いに逆方向の回転に伴ってその間隔を中心振分に調整可能である
ことを特徴とするローラガイド装置。
【発明の詳細な説明】
【０００１】
【発明の属する技術分野】
本発明は、芯間調整可能であるローラガイド装置に関するものである。
【０００２】
【従来の技術】
実公昭５７−２４４０６号公報に開示されているダブルローラ型のローラガイド装置では、主ガイドローラと副ガイドローラを取り付けているローラホルダを、支点ピンを中心として開閉することによってそれぞれのガイドローラ間隔を中心振分に調整し、ガイドローラ間隔を圧延材の寸法に寸法合わせするものである。
また、実公平３−１２４０１号公報に開示されているローラガイド装置では、ローラホルダの後端部に設けてあるガイドローラ間隔の中心振分調整機構を改良し、ローラホルダを平行に調整可能にすることにより、ガイドローラ間隔の中心をパスラインに位置合わせするものである。
【０００３】
【発明が解決しようとする課題】
第１従来例である上記ダブルローラ型のローラガイド装置では、主ガイドローラと副ガイドローラの間隔を圧延材の寸法に合わせて中心振分に調整可能であるが、ガイドローラ間隔の中心をパスラインに位置合わせする機能がない。ガイドローラ間隔の中心をパスラインに位置合わせするには、ローラガイド装置をレストバーに固定しているクランプを外してから、重いローラガイド装置をハンマーで叩きながらレストバー上を移動させ微調整する必要があった。このために、ガイドローラ間隔の中心をパスラインに位置合わせて位置調整する技術の開発が必要とされた。
上記第２従来例のローラガイド装置では、ガイドローラ間隔を中心振分に調整することが可能であり、かつガイドローラ間隔を平行に移動してパスライン調整することが可能であるが、パスライン調整の移動量は支点ピンからパスライン調整機構迄の距離と、支点ピンからガイドローラまでの距離の比率となり、大きなパスライン調整量を得られないことから、大きなパスライン調整量を得られる技術の開発が必要とされた。
また、これら従来のローラガイド装置を縦型圧延機に設置する場合に、下側に配置されるローラホルダは先端部側に重量物であるガイドローラを設けてあることから、支点ピンを中心にして回転力が発生しプレッシャスクリュウに強く押し付けられることにより剛に支持されるが、特に上側に配置されているローラホルダはガイドローラの重量に抗してスプリング（第１従来例では圧縮ばね、第２従来例ではテンションばね）で支持されることになるので、ローラホルダの先端部がガイドローラの重みで垂下しやすく、いわゆる「頭下がり」が発生する。このために、ガイドローラ間隔が狭くなる問題点があり、頭下がりを防止する技術の開発が必要とされた。
本発明の目的は、ガイドローラ間隔を中心振分に調整する作業及びガイドローラ間隔中心をパスラインに合芯調整する作業を容易にすると共に、ガイドローラの頭下がりを防止することにある。
【０００４】
【課題を解決するための手段】
本発明の第１の特徴は、ガイドボックス、一対のローラホルダ、パスライン調整機構及び中心振分調整機構を具備していることにあって、上記ガイドボックスは各ローラホルダを支持しており、上記各ローラホルダはガイドローラを設けており、ガイドローラ間で圧延材を誘導可能なものであり、上記パスライン調整機構は、一対の偏芯軸と、これらの偏芯軸を動作させるための偏芯軸回転手段とを備えており、この偏芯軸回転手段は上記偏芯軸を互いに同一方向へ回転駆動させるものであり、上記中心振分調整機構は、一対の互いに逆ねじのスクリュウスピンドルと、これらのスクリュウスピンドルを移動するためのスクリュウスピンドル移動手段とを備えており、上記スクリュウスピンドル移動手段は上記スクリュウスピンドルを互いに逆方向に移動させるものであり、上記各ローラホルダは、上記偏芯軸の互いに同一方向の回転に伴ってその間隔を維持しながら上記ガイドローラの中心をパスラインに調整可能であり、上記ガイドローラの間隔は、上記スクリュウスピンドルの互いに逆方向の移動に伴って上記互いに逆方向にローラホルダを動作させることによって中心振分に調整可能である。
本発明の第２の特徴は、ガイドボックス、一対のローラホルダ、パスライン調整機構及び中心振分調整機構を具備しており、上記ガイドボックスは各ローラホルダを支持しており、上記各ローラホルダはガイドローラを設けてあり、ガイドローラ間で圧延材を誘導可能なものであり、上記パスライン調整機構は、一対の第一偏芯軸と、これらの第一偏芯軸を動作させるための第一偏芯軸回転手段とを備えており、上記第一偏芯軸回転手段は上記第一偏芯軸を互いに同一方向へ回転駆動させるものであり、上記中心振分調整機構は、一対の第二偏芯軸と、これらの第二偏芯軸を動作させるための第二偏芯軸回転手段とを備えており、上記第二偏芯軸回転手段は、上記第二偏芯軸を互いに逆方向へ回転駆動させるものであり、上記ローラホルダは、上記第一偏芯軸の互いに同一方向の回転に伴ってその間隔を維持しながら上記ガイドローラの中心をパスラインに調整可能であり、上記ガイドローラの間隔は、上記第二偏芯軸の互いに逆方向の回転に伴ってその間隔を中心振分に調整可能である。
本発明の第３の特徴は、ガイドボックス、一対のローラホルダ、パスライン調整機構及び中心振分調整機構を具備しており、上記ガイドボックスは各ローラホルダを支持しており、上記各ローラホルダはガイドローラを設けてあり、ガイドローラ間で圧延材を誘導可能なものである点で上記第２の特徴と共通しているが、上記パスライン調整機構は、一対の第二偏芯軸と、これらの第二偏芯軸を動作させるための第二偏芯軸回転手段とを備えており、上記第二偏芯軸回転手段は上記第二偏芯軸を互いに同一方向へ回転駆動させるものであり、上記中心振分調整機構は、一対の第一偏芯軸と、この第一偏芯軸を動作させるための第一偏芯軸回転手段とを備えており、上記第一偏芯軸回転手段は上記第一偏芯軸を互いに逆方向へ回転駆動させるものであり、上記ローラホルダは、上記第二偏芯軸の互いに同一方向の回転に伴ってその間隔を維持しながら上記ガイドローラの中心をパスラインに調整可能であり、上記ガイドローラの間隔は、上記第一偏芯軸の互いに逆方向の回転に伴ってその間隔を中心振分に調整可能であることにある。
【０００５】
【作用】
例えば本発明の第１の特徴を備えているローラガイド装置において、ガイドローラの間隔中心をパスラインに調整するためのパスライン調整作用に関して、偏芯軸を互いに同一方向に回転させるため、偏芯軸の回転に伴ってローラ間隔の中心振分調整機構を回転中心としてローラホルダを平行移動させてガイドローラ間隔中心のパスライン調整が行われる。
ガイドローラ間隔を調整するための中心振分調整作用に関して、互いに逆ねじのスクリュウスピンドルを同一方向に移動させるため、スクリュウスピンドルの移動に伴ってローラホルダの間隔が調整され、偏芯軸を回転中心としてローラホルダに設けてあるガイドローラ間隔の中心振分調整が行われる。
また本発明の第２の特徴を備えているローラガイド装置において、ガイドローラの間隔中心をパスラインに調整するためのパスライン調整作用に関しては、第一偏芯軸を同一方向に回転させるため、第一偏芯軸の回転に伴って第二偏芯軸を回転中心としてローラホルダを平行移動させてガイドローラ間隔中心のパスライン調整が行われる。
ガイドローラ間隔を調整するための中心振分調整作用に関しては、第二偏芯軸を互いに逆方向に回転させるため、第二偏芯軸の回転に伴ってローラホルダ後端部の間隔が調整され、第一偏芯軸を回転中心としてローラホルダの前端部に設けてあるガイドローラ間隔の中心振分調整が行われる。
【０００６】
【発明の実施の形態】
本発明のローラガイド装置は、縦型及び水平型のいずれの圧延機にも使用可能であるが、下記に示す各実施例では縦型圧延機に使用した場合について図面を参照して説明する。
図１乃至図３に示す本発明のローラガイド装置Ｇ１について説明する。
ローラガイド装置Ｇ１は、ガイドボックス１に支持してあるローラホルダ２の先端部側（図２左端部側）を圧延機の圧延ロールＲに向けてこの圧延機の入口に配置されている。図１に示すようにガイドボックス１には、上下に互いに対向している一対のローラホルダ２を偏芯軸３を回転中心として開閉可能に設けている。そして、ガイドボックス１にはパスライン調整機構Ｍ１と中心振分調整機構Ｍ２を設けてある。
偏芯軸３は、その上端部にギアホイル３ａを設けてあり、そしてエキセンピース３ｂを介してガイドボックス１に回動可能である。
各ローラホルダ２の先端部にはガイドローラ４がローラピン５を回転中心として回転自在に軸支されている。ローラホルダ２の後端部はバネ１４により中心振分調整機構Ｍ２に引き寄せてある。
パスライン調整機構Ｍ１の構成は、図１及び図２に示すように偏芯軸３と、偏芯軸回転手段とを備えており、この偏芯軸回転手段は偏芯軸３に設けてあるギアホイル３ａ、ギアホイル３ａに噛合しているピニオン６、ピニオン６をガイドボックス１に回動可能に軸支してあるペデスタル７、ピニオン６を任意の方向に回転させるためのラチェット８を有している。
中心振分調整機構Ｍ２の構成は、図１に示すように、ガイドボックス１に互いに逆ねじでかつ上下方向に対向して設けてあるスクリュウスピンドル９と、スクリュウスピンドル移動手段とを備えており、このスクリュウスピンドル移動手段はスクリュウスピンドル９の雄ねじ部に噛合するセンターラチェット１０と、ガイドボックス１に設けてあって、スクリュウスピンドル９を移動可能に軸支するための保持部１１と、ローラホルダ２の後端部側（図１右端部側）に回転可能に設けてあって、スクリュウスピンドル９と当接しているプレッシャローラ１２とを有している。
プレッシャローラ１２は軸１３に支持されている。ローラホルダ２の後端部に設けてあるバネ１４は、プレッシャローラ１２をスクリュウスピンドル９に引張するものである。エントリーガイド１５はガイドボックス１に着脱可能に設けてあり、圧延材をガイドローラ４に補助誘導するものである。
ここで、パスライン調整機構Ｍ１の操作方法について説明する。
ガイドローラ間隔の中心をパスラインに合芯調整、つまりパスライン調整する場合は、ラチェット８を操作してピニオン６を回転させる。ピニオン６が回転すると、ピニオン６に噛合しているギアホイル３ａを介して互いに対向して位置している偏芯軸３が同一方向にそれぞれ回転し、この回転によりローラホルダ２の先端部側（図１左端部側）が偏芯軸３を中心として同一方向に移動することに伴ってガイドローラ間隔は平行移動される。このため、偏芯軸３の回転方向に応じてガイドローラ間隔の中心をパスライン調整することができる。
また、中心振分調整機構Ｍ２の操作方法について説明する。
ガイドローラ間隔を調整する場合は、センターラチェット１０を回転させて、センターラチェット１０の雌ねじ部（図示せず）に雄ねじ部（図示せず）で噛合している互いに逆ねじのスクリュウスピンドル９を互いに逆方向に移動させる。
スクリュウスピンドル９の間隔の広狭が調整されると、ローラホルダ２の後端部に設けてあるスクリュウスピンドル９に当接するプレッシャローラ１２を介してローラホルダ２の後端部側の間隔が調整されるから、偏心軸３を回転中心にしてローラホルダ２の先端部側に設けてあるガイドローラ４の間隔が中心振分に調整される。
【０００７】
ローラガイド装置Ｇ１を圧延ラインに設置し調整する手順の一例を説明する。
オフラインで、予めガイドローラ間隔を調整してあるローラガイド装置Ｇ１を圧延機のレストバーに設置し、ガイドローラ間隔の中心を圧延ロールＲの孔形に位置合わせをしてオフラインの手順を完了する。その後、上記圧延機を圧延ラインに取り付けて圧延を開始する。圧延中にローラガイドのパスライン調整に誤差があり、再調整の必要があることが判明した場合には、上記パスライン調整機構Ｍ１のラチェット８を操作してパスライン調整を行う。ラチェット８の操作方向に応じて容易にガイドローラ間隔の中心をパスライン調整可能である。
この手順の一例が示すように、本発明のローラガイド装置Ｇ１によれば、パスライン調整機構Ｍ１を用いることによって、従来例のようにクランプを外す作業や重量のあるローラガイド装置をハンマーで叩いて位置合わせする作業の必要がないから、簡単にローラガイドのパスライン調整が可能となり、またパスライン調整量を増すことができる。
また、ガイドローラ間隔の中心振分調整は中心振分調整機構Ｍ２のセンターラチェット１０を操作すれば容易にガイドローラ間隔を中心振分で間隔調整可能である。
本発明のローラガイド装置Ｇ１によれば、圧延機のレストバー上に設置してあるローラガイド装置におけるパスライン調整と中心振分調整を容易に行うことが可能であり、より精度の高い圧延が可能になると共に、調整作業の迅速化と作業者にかかる負担の軽減を図ることができる。
【０００８】
本発明のローラガイド装置Ｇ１のパスライン調整機構Ｍ１において、偏芯軸３を互いに逆方向に回転させることにより中心振分調整機構へと機能変換することができる。また、中心振分調整機構Ｍ２をスクリュウスピンドル９の双方共に同一方向に移動させることによりパスライン調整機構へと機能変換が可能である。
このように機能を変換した例では、パスライン調整機構は、図１において中心振分調整機構Ｍ２を置換したものであって、スクリュウスピンドル９に対応するスクリュウスピンドルと、これらのスクリュウスピンドルを移動するためのスクリュウスピンドル移動手段とを備えている点ではパスライン調整機構Ｍ１と共通するが、スクリュウスピンドルは互いに同一方向にねじが形成されている必要がある。このような構成にすることによって、上記スクリュウスピンドルを互いに同一方向に移動させるものとなる。
また、中心振分調整機構は、図１においてパスライン調整機構Ｍ２を置換したものであって、偏芯軸３に対応する一対の偏芯軸と、これらの偏芯軸を動作させるための偏芯軸回転手段とを備えている点では中心振分調整機構Ｍ２と共通するが、この偏芯軸回転手段は偏芯軸を互いに逆方向へ回転駆動させる必要がある。こうすることによって、上記各ローラホルダは、上記スクリュウスピンドルの同一方向の移動に伴って互いに同一方向にローラホルダの間隔を維持しながら上記ガイドローラの中心をパスラインに調整可能となり、上記ガイドローラの間隔は、上記偏芯軸の互いに逆方向の回転に伴って上記ローラホルダの互いに逆方向に動作させることによって中心振分に調整可能となる。
【０００９】
図４乃至図６に示す本発明のローラガイド装置Ｇ２について説明する。
ローラガイド装置Ｇ２において、ガイドボックス１０１は、ローラホルダ１０２の先端部（図５左端部）を圧延機の圧延ロールＲに向けてこの圧延機入口に配置されている。図４に示すように、ガイドボックス１０１には、一対のローラホルダ１０２の先端部側（図４左端部側）を第一偏芯軸１０３を回転中心として開閉可能に設けると共に、ローラホルダ１０２の後端部側（同図右端部側）を第二偏芯軸１０９によって第一偏芯軸１０３を回転中心として開閉可能に設けてある。
また、ローラホルダ１０２は図４に示すガイドボックス１０１に互いに対向して上下に設けられており、そしてパスライン調整機構Ｍ１０と中心振分調整機構Ｍ２０が設けられている。
偏芯軸１０３はその上端部にギアホイル１０３ａを設けてある。偏芯軸１０３は、エキセンピース１０３ｂを介してガイドボックス１０１に回動可能に設けてある。
各ローラホルダ１０２の先端部にはガイドローラ１０４がローラピン１０５を回転中心として回転自在に軸支してある。ローラホルダ１０２の後端部は第二偏芯軸１０９により中心振分調整機構Ｍ２０に連動している。
パスライン調整機構Ｍ１０の構成について説明する。
パスライン調整機構Ｍ１０は、図４及び図５に示すように、各第一偏芯軸１０３と、これらの第一偏芯軸を動作させるための第一偏芯軸回転手段とを備えており、この第一偏芯軸回転手段は各第一偏芯軸１０３に設けてあるギアホイル１０３ａ、ギアホイル１０３ａに噛合しているピニオン１０６、ピニオン１０６をガイドボックス１０１に任意の方向に回動可能に軸支してあるペデスタル１０７、ピニオン１０６を回転させるためのラチェット１０８を有している。
また中心振分調整機構Ｍ２０の構成について説明する。
中心振分調整機構Ｍ２０は、図４乃至図６に示すように、ガイドボックス１０１の後端部側（図４右端部側）に互いに対向して設けてある第二偏芯軸１０９と第二偏芯軸回転手段とを備えており、この第二偏芯軸回転手段は各第二偏芯軸１０９に設けてあるギアホイル１０９ａ、ギアホイル１０９ａに噛合しているピニオン１１０、ピニオン１１０をガイドボックス１０１に回動可能に軸支してあるペデスタル１１１、ピニオン１１０を回転させるためのセンターラチェット１１２を有している。
第二偏芯軸１０９は、ローラホルダ１０２の後端部側でエキセンピース１０９ｂを介して回動可能にガイドボックス１０１に軸支されている。第二偏芯軸１０９は、ローラホルダの後端部（図５右端部）側に設けてある挿通孔１０２ａに挿通されているから、第二偏芯軸１０９の回転に応じて第一偏芯軸１０３を回転中心にしてローラホルダ１０２の後端部の間隔が中心振分に調整される。このことにより、ローラホルダ１０２の先端部に設けてあるガイドローラ１０４の間隔が中心振分調整される。
図４に示すバネ１１４はローラホルダ１０２の先端部に設けてあってローラホルダ１０２を互いに押し広げてガタ殺しをするものである。またエントリーガイド１１５は、ガイドボックス１０１に着脱可能に設けてあり、圧延材をガイドローラ１０４に補助誘導するものである。
パスライン調整機構Ｍ１０の操作方法について説明する。
ガイドローラ間隔をパスライン調整する場合は、ラチェット１０８を操作してピニオン１０６を所要方向に回転させる。ピニオン１０６が回転すると、ピニオン１０６に噛合しているギアホイル１０３ａを介して互いに対向している偏芯軸１０３が同一方向に回転し、第一偏芯軸１０３の回転に伴ってガイドローラ１０４の間隔は第二偏芯軸１０９を中心として平行移動される。このために、偏芯軸１０３の回転方向に応じてガイドローラ１０４の間隔をパスライン調整することができる。
中心振分調整機構Ｍ２０の操作方法について説明する。
ガイドローラ間隔を調整する場合は、センターラチェット１１２を回転させて、ピニオン１１０を所要方向に回転させる。ピニオン１１０が回転すると、ピニオン１１０に噛合している第二偏芯軸１０９のギアホイル１０９ａを介して対向している偏芯軸１０９が互いに逆方向に回転し、ローラホルダ１０２の後端部を開閉する。ローラホルダ１０２は第一偏芯軸１０３を回転中心にしてハの字開閉するから、ローラホルダ１０２の先端部に設けてあるガイドローラ１０４の間隔を中心振分調整することができる。
本発明のローラガイド装置Ｇ２によれば、ローラガイド装置Ｇ１と同様に圧延機のレストバー上に設置してあるローラガイド装置を容易にパスライン調整と中心振分調整を行うことが可能であり、より精度の高い圧延が可能となると共に、調整作業の迅速化と作業者の負担の軽減を図ることができ、パスライン調整量を増やすことができる。
また、ローラガイド装置Ｇ２は、第一、第二偏芯軸１０３，１０９を備えているために、ローラホルダ２の頭下がり現象を解消して、常にガイドローラ間隔をパスラインに対して中心振分に調整し、間隔を中心振分に維持することができる。
ローラガイド装置Ｇ２を圧延ラインに設置して調整する手順は、ローラガイド装置Ｇ１の例と同様であるから詳細説明を省略するが、容易にガイドローラ間隔の中心をパスライン調整することが可能であると共に、ガイドローラ間隔を中心振分調整することが可能である。
【００１０】
ローラガイド装置Ｇ２において、第一偏芯軸１０３を互いに逆方向に回転させることにより中心振分調整機構とし、第二偏芯軸１０９を互いに同一方向に回転させることによりパスライン調整機構とすることが可能であり、パスライン調整機構Ｍ１０を中心振分調整機構へ、また中心振分調整機構Ｍ２０をパスライン調整機構へそれぞれ機能変換が可能である。
このように機能を変換した例では、パスライン調整機構は、図４において中心振分調整機構Ｍ２０を置換したものであり、一対の第二偏芯軸と、これらの第二偏芯軸を動作させるための第二偏芯軸回転手段とを備えている点で、パスライン調整機構Ｍ１０と共通しているが、上記第二偏芯軸回転手段は上記第二偏芯軸１０９に対応する第二偏芯軸を互いに同一方向へ回転駆動させる必要がある。
また中心振分調整機構は、図４においてパスライン調整機構Ｍ１０を置換したものであり、一対の第一偏芯軸と、この第一偏芯軸を動作させるための第一偏芯軸回転手段とを備えている点で、中心振分調整機構Ｍ２０と共通しているが、上記第一偏芯軸回転手段は上記第一偏芯軸１０３に対応する第一偏芯軸を互いに逆方向へ回転駆動させる必要があり、上記ローラホルダは、第二偏芯軸の互いに同一方向の回転に伴ってその間隔を維持しながら上記ガイドローラの中心をパスラインに調整可能であり、上記ガイドローラの間隔は、上記第一偏芯軸の互いに逆方向の回転に伴ってその間隔を中心振分に調整可能となる。
【００１１】
【発明の効果】
本発明のローラガイド装置によれば、簡単な操作によってパスライン調整機構によりガイドローラ間隔中心の圧延ロール孔形への僅かな合芯ズレをパスラインに合芯調整することができ、そしてガイドローラ間隔を中心振分調整機構で中心振分に調整することができる。
本発明のローラガイド装置を縦型圧延機に設置する場合においてもガイドローラの頭下がりを解消できるから寸法精度の良い圧延が可能となると共に調整作業の迅速化を図ることができる。
【図面の簡単な説明】
【図１】ローラガイド装置Ｇ１の平面図である。
【図２】ローラガイド装置Ｇ１の正面図である。
【図３】ローラガイド装置Ｇ１の側面図である。
【図４】ローラガイド装置Ｇ２の平面図である。
【図５】ローラガイド装置Ｇ２の正面図である。
【図６】ローラガイド装置Ｇ２の側面図である。
【符号の説明】
Ｇ１，Ｇ２              ローラガイド装置
Ｍ１，Ｍ１０            パスライン調整機構
Ｍ２，Ｍ２０            中心振分調整機構
１            ガイドボックス
２            ローラホルダ
３            偏芯軸
３ａ          ギアホイル（偏芯軸回転手段）
４            ガイドローラ
６            ピニオン（偏芯軸回転手段）
７            ペデスタル（偏芯軸回転手段）
８            ラチェット（偏芯軸回転手段）
９            スクリュウスピンドル
１０          センターラチェット（スクリュウスピンドル移動手段）
１１          保持部（スクリュウスピンドル移動手段）
１２          プレッシャローラ（スクリュウスピンドル移動手段）
１０１        ガイドボックス
１０２        ローラホルダ
１０３        第一偏芯軸
１０３ａ      ギアホイル（第一偏芯軸回転手段）
１０４        ガイドローラ
１０６        ピニオン（第一偏芯軸回転手段）
１０７        ペデスタル（第一偏芯軸回転手段）
１０８        ラチェット（第一偏芯軸回転手段）
１０９        第二偏芯軸
１０９ａ      ギアホイル（第二偏芯軸回転手段）
１１０        ピニオン（第二偏芯軸回転手段）
１１１        ペデスタル（第二偏芯軸回転手段）
１１２        センターラチェット（第二偏芯軸軸回転手段）
【図１】
0004594565.tif 000002
【図２】
0004594565.tif 000003
【図３】
0004594565.tif 000004
【図４】
0004594565.tif 000005
【図５】
0004594565.tif 000006
【図６】
0004594565.tif 000007